(57)【要約】【課題】規定部材によって周縁が規定され、内部に保水槽や土壌槽を設けた緑地に於ける縁石であって施工が容易で且つ緑地の周縁の美観を向上させる。【解決手段】縁石構造は、高さ方向の上端部に開放部と頭部ブロック１６と係合する係合部１８を形成すると共に内部に長手方向に貫通した貫通孔１７を形成した本体ブロック１５と、下面に本体ブロック１５の係合部１８と係合して係止する係止部１９を設けた頭部ブロック１６とからなる縁石部材と、緑地Ａの周縁を規定する起立片１０ａを有する規定部材Ｂと、を有し、規定部材Ｂの起立片１０ａに沿って複数の本体ブロック１５を並べて連結し、隣接した本体ブロック１５に跨がらせて頭部ブロック１６を載置して開放部を閉鎖すると共に係止部１９を隣接する本体ブロック１５の係合部１８に係合させて連続させて縁石Ｃを構成し、選択した本体ブロック１５の一方の面１５ｂと起立片１０ａを貫通させて配管７を設置する。【選択図】       図１
2005192444.tif 000002
【特許請求の範囲】
【請求項１】
表面に沿った内部に空洞を設けると共に上端部に開放部を設けた本体ブロックと頭部ブロックとからなる縁石部材を有し、緑地の周囲に複数の本体ブロックを並べ、隣接した本体ブロックに頭部ブロックを載置して開放部を閉鎖すると共に空洞を連続させ、更に、緑地の土壌層と本体ブロックの空洞を配管を介して連通させたことを特徴とする縁石構造。
【請求項２】
高さ方向の上端部に開放部を設けると共に頭部ブロックと係合する係合部を形成し且つ内部に表面に沿って貫通した貫通孔を形成した本体ブロックと下面に本体ブロックの係合部と係合して係止する係止部を設けた頭部ブロックとからなる縁石部材と、緑地の周縁を規定する起立片を設けた規定部材と、を有し、前記規定部材の起立片に沿って複数の本体ブロックを並べ、隣接した本体ブロックの上端部分に跨がらせて頭部ブロックを載置して開放部を閉鎖すると共に該頭部ブロックの係止部を隣接する夫々の本体ブロックの係合部に係合させて連続させて縁石を構成し、更に、前記縁石から選択した本体ブロックの厚さ方向の一方の面と規定部材の起立片とを貫通させて配管を設置したことを特徴とする縁石構造。
【請求項３】
本体ブロックと該本体ブロックの上部に配置される頭部ブロックからなり、前記本体ブロックは高さ方向の上端部に開放部を設けると共に頭部ブロックと係合する係合部が形成され且つ内部に長手方向に貫通した貫通孔が形成され、前記頭部ブロックは下面に本体ブロックの係合部と係合して係止する係止部と本体ブロックに隣接して配置された板状起立片の先端を嵌合する嵌合部を設けたことを特徴とする縁石部材。
【発明の詳細な説明】
【技術分野】
【０００１】
本発明は、花壇の周縁に配置される縁石構造と、この縁石構造を実現するのに有利な縁石部材とに関するものであり、特に、ベランダや屋上を緑地化する所謂屋上緑化構造に於ける緑地の周縁に設けることによって、この緑地の周縁を化粧すると共に緑地からの排水経路を構築し得るように構成した縁石構造と縁石部材とに関するものである。
【背景技術】
【０００２】
都会に於けるヒートアイランド現象に対応するために、ベランダや屋根或いは壁面を緑化する所謂建物緑化が進められつつある。特に、都市部に於ける屋根といえども、全てが高層ビルのものではなく、都市を構成する全ての屋根の面積に占める戸建て住宅の屋根の面積は圧倒的に多い。従って、これらの戸建て住宅の建物緑化を実現することは、ヒートアイランド現象の緩和に寄与することになる。
【０００３】
建物緑化を実現する一技術として、例えば屋上の防水層の上部に植物の毛根の侵出を防止するルートガードを配置し、このルートガード上に雨水や灌水を保持・排水し、保持した水分を植物の根部に供給すると共に土壌を把持するために、保水部と排水部とが一体に形成されたドレイン板を設け、このドレイン板上に植栽層を設けると共に該植栽層とドレイン板を固定手段によって連結し、更に植栽層に植物苗を植えつけると共に保護網で保護した所謂屋上緑化が提案されている（特許文献１参照）。
【０００４】
上記技術では、ドレイン板に設けた凹部に保水し、供給水量が増えて凹部から溢れたとき、この水を凸部に設けた穴を介して排除することが出来る。従って、常に一定範囲の量の水を保持することが可能であり、且つ建物の屋上や屋根に施工が迅速で、コストの低い庭園を形成することが出来る。
【０００５】
戸建て住宅の屋上の緑地化をはかる場合、通常の住宅に於ける一般的な防水層を形成した屋上に、常に略一定量を水を保持した保水層を設けると共に、略一定の深さを持った土壌層を設けることが必要である。このため、屋上に構成される緑地の構造は、防水性と高い耐水性を持った材料によって底面や周縁を形成した槽状の構造体を用い、この構造体を屋上に設置して内部に保水層と土壌層及び他に必要となる層を構成するのが一般的である。
【０００６】
上記保水層は土壌層の湿潤状態を保持させる必要性から、常に一定の範囲内の水位を維持することが望ましい。特に、水位が下がった場合には土壌層の表面に散水して給水したり直接保水層に給水すれば良いが、雨水の供給により過剰給水となることがある。屋上緑地で過剰給水が生じると、余剰水が屋上に於ける緑地周囲の床面を湿潤状態にして該水に染み込んだ肥料や微生物或いは農薬等が床面を構成する仕上材に好ましくない影響を与えたり、緑地の周囲に苔を生じさせて管理手間を発生される虞がある。このため、水位が上がり過ぎた場合には余剰水を床面に垂れ流すことのないように排水して水位の調整をはかることが必要となる。
【０００７】
【特許文献１】特開２０００−１２５６６２号公報
【発明の開示】
【発明が解決しようとする課題】
【０００８】
上記の如く、屋上に槽状の構造体を設置して屋上緑地を構成した場合、この屋上緑地は槽状の構造体の起立片によって周縁が形成されるため、このまま露出させたのでは見栄えが悪くなるという問題が生じる。このため、屋上緑地の周縁に縁石を配置して装飾することが好ましいが、通常の庭園に用いる縁石はレンガやコンクリート等の重量のかさむものが多く、許容積載荷重に制限のある屋上緑地には利用し難いという問題がある。また重量上の問題が解決し得たとしても、縁石施工は左官等の特別な技術を要するものであり、施工時間の面、コストの面からの問題が生じる。
【０００９】
また前述したように、屋上緑地では保水層の水位が上昇したときに排水する際に、特別な排水配管を設けることは少ないが、例えば従来の配管技術で排水配管を設ける場合、この配管は屋上の床面に設置されることとなり、屋上緑地の周囲の美観を損なう虞がある。特に、屋上緑地の周縁が曲線状に形成されているような場合、排水配管を一般的に用いられる硬質塩ビ管のような管材を用いると、屋上緑地周縁の曲線に対応し得なくなって美観を損なうことになるという問題が生じる。また縁石と配管を夫々緑地の周囲に巡らした場合、それなりの幅が必要になるという問題が生じる。
【００１０】
上記各問題は、特許文献１の技術では解決し得ない。
【００１１】
本発明の目的は、施工が容易で且つ緑地の周縁の美観を向上させることが出来る縁石構造と、この縁石構造を構成する際に有利な縁石部材を提供することにある。
【課題を解決するための手段】
【００１２】
上記課題を解決するために本発明に係る縁石構造は、表面に沿った内部に空洞を設けると共に上端部に開放部を設けた本体ブロックと頭部ブロックとからなる縁石部材を有し、緑地の周囲に複数の本体ブロックを並べ、隣接した本体ブロックに頭部ブロックを載置して開放部を閉鎖すると共に空洞を連続させ、更に、緑地の土壌層と本体ブロックの空洞を配管を介して連通させたものである。
【００１３】
また他の縁石構造は、高さ方向の上端部に開放部を設けると共に頭部ブロックと係合する係合部を形成し且つ内部に表面に沿って貫通した貫通孔を形成した本体ブロックと下面に本体ブロックの係合部と係合して係止する係止部を設けた頭部ブロックとからなる縁石部材と、緑地の周縁を規定する起立片を設けた規定部材と、を有し、前記規定部材の起立片に沿って複数の本体ブロックを並べ、隣接した本体ブロックの上端部分に跨がらせて頭部ブロックを載置して開放部を閉鎖すると共に該頭部ブロックの係止部を隣接する夫々の本体ブロックの係合部に係合させて連続させて縁石を構成し、更に、前記縁石から選択した本体ブロックの厚さ方向の一方の面と規定部材の起立片とを貫通させて配管を設置したものである。
【００１４】
また本発明に係る縁石部材は、本体ブロックと該本体ブロックの上部に配置される頭部ブロックからなり、前記本体ブロックは高さ方向の上端部に開放部を設けると共に頭部ブロックと係合する係合部が形成され且つ内部に長手方向に貫通した貫通孔が形成され、前記頭部ブロックは下面に本体ブロックの係合部と係合して係止する係止部と本体ブロックに隣接して配置された板状起立片の先端を嵌合する嵌合部を設けたものである。
【発明の効果】
【００１５】
上記第１の縁石構造では、複数の本体ブロックを緑地の周縁に沿って連結し、この本体ブロックに頭部ブロックを載置すると共に本体ブロックの内部に設けた空洞を連続させ、この空洞と緑地の土壌層とを配管によって連通させたので、緑地の周縁に沿って連結された本体ブロックと、該本体ブロックの上部に載置された頭部ブロックとによって縁石を構成することが出来、且つ縁石の内部に形成された連続した空洞に排水管や給水管或いは排水用の樋を設置し、これらの管や樋と土壌層に連通させた配管を接続することで、緑地に於ける余剰水の排水や土壌に対する給水を行うことが出来る。
【００１６】
上記の如く、緑地の周囲を縁石によって囲むことで美観を向上させることが出来、且つ緑地からの排水を行う配管や樋、或いは緑地に対して給水を行う配管を縁石の内部に収容することが出来る。このため、緑地の周囲を整頓して美観の向上をはかることが出来る。
【００１７】
また頭部ブロックは、本体ブロックの上部に載置されることによって、該本体ブロックの上端部に形成された開放部を閉鎖する。このため、本体ブロックの内部に形成された空洞に外部からゴミやホコリが入り込むことを防止することが出来る。また緑地の土壌層と連通した配管を介してゴミ等が入り込んだ場合、頭部ブロックを持ち上げて外すという簡単な操作で開放部及び空洞を開放することが出来る。従って、複数の本体ブロックの内部に形成された空洞を清掃し、或いは該空洞に配置されている配管等のメンテナンスを行う際の作業を容易に行うことが出来る。
【００１８】
上記第２の縁石構造では、規定部材の起立片によって規定された緑地を構成し、この起立片に沿って縁石部材を構成する本体ブロックを連結すると共に、隣接した本体ブロックの上端部分に跨がらせて頭部ブロックを載置することで、本体ブロックと頭部ブロックからなる縁石部材による縁石を構成することが出来る。この縁石構造ではレンガやコンクリートによる縁石と異なり、モルタルによる目地施工を必要とせずに、本体ブロックの係合部に対し頭部ブロックの係止部を係合させることで、本体ブロックの蛇行を防止して接続することが出来る。このため、左官職のような特別な技術を必要とせずに縁石を構成することが出来る。
【００１９】
特に、複数の縁石部材を連続させて縁石を構成したとき、本体ブロックの上端部に形成された開放部は頭部ブロックによって閉鎖され、且つ内部に長手方向に貫通して形成された貫通孔が連続して縁石の内部に通路が形成されることとなる。そして、縁石の中から選択した本体ブロックの厚さ方向の一方側の面（規定部材を構成する起立片側の面）と起立片とを貫通させた配管を設置することによって、この配管の一方側を起立片によって規定された緑地側に開口させ、他方側を本体ブロックの内部に形成された貫通孔に開口させることが出来る。このため、緑地から縁石の内部を貫通した通路に至る一連の通路を構成することが出来、特別な配管を設けることなく緑地に於ける余剰水の排水、或いは土壌に対する給水配管経路として利用することが出来る。
【００２０】
更に、縁石を構成する本体ブロックの長手方向に形成された貫通孔は、必ずしも直接水路として用いる必要はなく、排水用の或いは給水用のホースを収容する空間として利用することも可能であり、何れにしても配管を屋上やベランダの床面に露出させることなく排水或いは給水配管経路として利用することが可能となり、屋上緑地の美観を損なうことがない。
【００２１】
また本発明に係る縁石部材では、本体ブロックの内部に長手方向に貫通する貫通孔を形成すると共に上端部に開放部と頭部ブロックと係合する係合部を形成し、頭部ブロックの下面に本体ブロックの係合部と係合する係止部を形成すると共に起立片の先端を嵌合する嵌合部を設けることによって、起立片に沿って並べた本体ブロックに頭部ブロックを係合して開放部を蓋することが出来る。特に、本体ブロックの係合部の形状や数を適宜設定しておくことで、隣接する本体ブロックに跨がらせて載置した頭部ブロックによって接続することが出来る。このため、緑地の周囲に構成する縁石の施工を特別な技術を必要とせずに容易に、且つ一定以上の施工精度を保持して行うことが出来る。
【００２２】
また起立片に沿って配置した本体ブロックを頭部ブロックによって接続する際に、起立片の先端を頭部ブロックの嵌合部に嵌合させることで、屋上緑地の周縁を規定する起立片を露出させることなく、該屋上緑地と縁石とを一体化することが出来る。このため、屋上緑地の美化に寄与することが出来る。
【００２３】
また本体ブロックの内部に長手方向に貫通させた貫通孔が形成されるため、該本体ブロックの重量を可及的に軽減することが出来る。特に、本体ブロックの形状や頭部ブロックの形状を限定するものではないため、屋上緑地に植え込む植物の種類や、和風庭園或いは洋風庭園等の嗜好に応じて適宜のデザインを実現することが出来る。
【００２４】
特に、頭部ブロックは隣接する本体ブロックの上部に跨がるように載置されるため、頭部ブロックを持ち上げて外すという簡単な操作で開放部を開放して貫通孔を露出することが出来る。従って、複数の本体ブロックの内部に形成された貫通孔を清掃し、或いは該貫通孔に配置されている配管等のメンテナンスを行う際の作業を容易に行うことが出来る。
【発明を実施するための最良の形態】
【００２５】
以下、本発明の縁石構造及びこの縁石構造を実現するのに有利な縁石部材の最良の実施形態について説明する。
【００２６】
本発明の第１の縁石構造は、上端部に開放部を設けると共に内部に空洞を設けた本体ブロックを緑地の周囲に配置して連結し、この本体ブロックの上端部分に頭部ブロックを載置することで開放部を閉鎖し、或いは隣接した本体ブロックの上端部分に跨がらせて載置することで開放部を閉鎖すると共に蛇行を防止し、これらの本体ブロックと頭部ブロックとによって縁石を構成し、同時に本体ブロックの内部の空洞を連続させて該縁石の内部に連続した空洞からなるトンネルを構成し、このトンネルと土壌層とを配管を介して連通させることで、土壌からの排水や土壌に対する給水の配管経路として利用し得るようにしたものである。
【００２７】
このため、土壌に対する給水や余剰水の排水を行うことが必要なベランダや屋上に構成される屋上緑地の周縁に用いて有利である。しかし、本発明の第１の縁石構造を適用する場合、必ずしも屋上に設けられた緑地に限定するものではなく、地面やコンクリート床面に設けた花壇を含む緑地であっても良い。即ち、本発明の第１の縁石構造では、適用すべき緑地が如何なる構造であるかを限定するものではない。
【００２８】
本体ブロックと頭部ブロックからなる縁石部材は、両ブロックを組み合わせたとき、緑地の縁石となるような意匠が施されていることが好ましい。しかし、縁石の意匠について限定するものではなく、例えばレンガや自然石のような形状とすることが可能である。
【００２９】
複数の本体ブロックを並べて連結する際の連結構造は特に限定するものではなく、本体ブロックの長手方向の両端面を夫々隣接する他の本体ブロックの端面に接着して固定することで良い。また長手方向の両端面に夫々凹凸を形成しておき、隣接する本体ブロックの凹凸を互いに嵌め合わせることで固定しても良い。更に、頭部ブロックに本体ブロックの連結機能を発揮させても良い。
【００３０】
本体ブロックの上端部に設けられる開放部は空洞を清掃する際に利用するものであり、この機能を発揮し得るものであれば寸法や形状を限定するものではない。例えば、本体ブロックの上端部分に、空洞と連通する人手が充分に入り込むことが可能な寸法の穴であって良く、或いは空洞と同様に本体ブロックの長手方向に連続して形成されていても良い。この場合、空洞の上端開放部分と本体ブロックの開放部とを兼ねることが可能となる。
【００３１】
本体ブロックの内部に表面に沿って設けられた空洞は、複数の本体ブロックを連結したときに連続したトンネルを形成するものである。この連続した空洞からなるトンネルは、排水用の配管やホース或いは樋、給水用の配管やホースを収容する機能を有するものである。
【００３２】
本体ブロックの内部に設けられる空洞は、該本体ブロックの表面に沿って横方向に貫通していることが必要である。しかし、空洞の寸法や形状を限定するものではなく、且つ厚さ方向、及び高さ方向の如何なる部位に形成されるかも限定するものではない。
【００３３】
例えば本体ブロックが所定の長さ寸法（横方向の寸法），高さ寸法（縦方向の寸法），厚さ寸法を持った板状に形成されているものである場合、空洞は長さ方向に貫通して形成される。しかし、高さ方向は、本体ブロックの下端部分を開放して底部分に、或いは下端部分に底板を形成して中央部分に、選択的に形成することが可能である。空洞を底部分に形成する場合本体ブロックの断面形状は略Ｈ型となり、空洞を通追う部分に形成する場合本体ブロックは略Ｕ字型となる。
【００３４】
緑地の土壌層と本体ブロックの内部の空洞を連通する配管は、土壌層と空洞を連通する機能を発揮し得るものであれば良く、材質や寸法を限定するものではない。しかし、配管の端部が土壌層の内部に開口することから、土壌の重量によって潰れが生じることのない程度の剛性を有することが好ましい。
【００３５】
上記の如く、緑地の周囲に縁石部材を配置すると共に土壌等と空洞を連通することによって、緑地の周囲に配管やホースを露出させることなく整頓して、美観の向上をはかることが可能となる。
【００３６】
本発明の第２の縁石構造は、本体ブロックを緑地の周縁を規定する規定部材の起立片に沿って並べ、この本体ブロックの上端部に頭部ブロックを配置すると共に隣接する本体ブロックを繋ぐようにして係止して連続させることで、緑地の周縁に縁石を構成すると共に該縁石の内部を貫通する通路を構成し、且つ本体ブロックの起立片側の面と起立片を貫通させた管路を前記通路に連通させることで、排水機能或いは給水機能を兼ねた縁石を構成したものである。
【００３７】
上記の如く、第２の縁石構造では周縁を規定部材の起立片によって規定された構成であることを条件としているものの、他の条件はない。従って、土壌に対する給水や余剰水の排水を行うことが必要なベランダや屋上に構成される屋上緑地の周縁に用いて有利である。しかし、本発明の第２の縁石構造を適用する場合、必ずしも屋上に設けられた緑地に限定するものではなく、地面やコンクリート床面に設けた花壇を含む緑地であっても良い。
【００３８】
第２の縁石構造に於いて、周縁を起立片を有する規定部材によって規定する緑地は、該緑地を構成すべき位置に槽状の部材を設置し、この部材の内部に保水層と土壌層を形成することで構成することが可能である。本発明に於いて、保水層の厚さや土壌層の厚さは限定するものではなく、従って、起立片の高さも何ら限定するものではない。例えば、屋上緑化を実現する緑地では、植え込む植物の種類等に応じて土壌層の厚さ、及び保水層の厚さを設定することが可能である。
【００３９】
本体ブロックは緑地の周縁を規定する規定部材の起立片に沿って複数配置され、隣接した本体ブロックどうしが連結されて頭部ブロックと共に連続した縁石を構成し、且つ内部に個々の本体ブロックの長手方向に貫通して形成された貫通孔が連続した通路を構成するものである。尚、規定部材は緑地の周縁を規定するための部材であり、該緑地を構成する土壌や水の厚さを保持すると共に流出を阻止する機能を有するものである。
【００４０】
このため、本体ブロックは、起立片の高さに応じた高さ寸法を有し、且つ厚さ方向は内部に貫通孔を形成したときに該貫通孔の寸法及び貫通孔の両側面（本体ブロックに於ける厚さ方向の両表面）が充分な強度を発揮し得る厚さに応じた厚さ寸法を有するものの、長さ寸法は特に限定するものではなく、予め設定された寸法、例えば屋上に構成された緑地に適用するような場合には建物に設定されたモジュール寸法に対応した寸法を有することが好ましい。
【００４１】
また本体ブロックの外形状は特に限定するものではなく、例えばコンクリートブロックのような直方体、或いは自然石のような周囲に多少の丸みやゴツゴツ感を発揮させるような形状であって良い。しかし、本体ブロックの外形状が如何なる形状であったとしても、上端部分に開放部と頭部ブロックを係合する係合部を形成すると共に内部に長手方向に貫通させた貫通孔を形成することは必要である。尚、本体ブロックの上端部分には、開放部と係合部の両方を独立して設ける必要はなく、一つの形状で両者の機能を合わせ持つように構成することが好ましい。即ち、本体ブロックは、高さ方向の上端部分に開放部と係合部を形成し、内部に貫通孔を形成している限り、外形状は如何なる形状であっても良い。
【００４２】
頭部ブロックは、並べられて隣接した本体ブロックの上端部分に載置され、該上端部分に設けた開放部を閉鎖すると共に係合部に係合することで、隣接した本体ブロックと接続して蛇行を防止する機能を有するものである。このため、頭部ブロックの下面には、本体ブロックの上端部分に形成された係合部に係止される係止部が形成されている。
【００４３】
本体ブロックの上端部分に形成された係合部、頭部ブロックの下面に形成され前記係合部と係合する係止部の形状は特に限定するものではなく、互いに係合したときに、隣接した本体ブロックを接続する機能を発揮し得る形状であれば良い。このような機能を発揮し得る形状としては、形状が単純な凹凸形状であることが好ましい。
【００４４】
即ち、本体ブロックの上端部分に凹溝を形成して係合部とし、頭部ブロックの下面に突起を形成して係止部とすることが好ましい。係合部としての凹溝の方向は特に限定するものではなく、本体ブロックの長手方向に沿った方向、或いは本体ブロックの厚さ方向（長手方向に対し直交する方向）の何れの方向であっても良い。また係止部としての突起の方向は、本体ブロックに形成された係合部の方向と一致することが必要である。
【００４５】
本体ブロックの内部には長手方向に貫通した貫通孔が形成されている。この貫通孔は、複数の本体ブロックを連続させるのに伴って連続した貫通孔からなる通路を形成するものであり、形成された通路を直接排水溝として緑地に於ける余剰水を排水し得るように構成し、或いは形成された通路に可撓性を持ったホースからなる配管を配置することが可能である。前記通路に配管を配置した場合、この配管を利用して余剰水を排水することが可能であり、また、この配管を利用して緑地への給水配管経路として利用することも可能となる。
【００４６】
本体ブロックの内部に形成された貫通孔は必ずしも周囲が閉鎖された孔である必要はなく、本体ブロックに頭部ブロックを係合したときに周囲が閉鎖された孔となれば良い。即ち、貫通孔と開放部とを連続した形状に形成しても良い。このため、本体ブロックの断面形状は底面を有するＵ字状であっても良く、底面の上方にリブを設けて厚さ方向の両面を接続して強度を発揮させるような形状であっても良い。
【００４７】
縁石を構成する場合、本体ブロックは緑地の周縁を規定する起立片に沿って長手方向に連接して並べられる。このとき、本体ブロックの内部に形成された通路を排水溝として利用するには、隣接する本体ブロックどうしの長手方向の端面が互いに密接することが好ましい。
【００４８】
このため、長手方向の一方の端面には本体ブロックの底面から厚さ方向の両面にわたるＵ字状の突起を形成すると共に、他方の端面には同様のＵ字状の溝を形成し、複数の本体ブロックを長手方向に並べ、隣接する一方の本体ブロックの端面に形成したＵ字状の突起を他方の本体ブロックの端面に形成したＵ字状の溝に嵌合させることで、一連の本体ブロックを連続させるように構成することが好ましい。
【００４９】
本体ブロックの長手方向の端面に上記の如きＵ字状の突起と溝を形成し、これらを嵌合させることで互いに連続させることによって、隣接させた本体ブロックの長手方向の端面どうしが互いに密接し得ない場合であっても、側面からみたとき、本体ブロックの継目に隙間が生じることがない。
【００５０】
上記の如く構成された本体ブロックを起立片に沿って連結し、隣接した本体ブロックの上端部分に頭部ブロックを跨がらせて載置すると共に係止部を係合させることで、緑地の周縁に連続した本体ブロックと頭部ブロックからなる縁石を構成することが可能であり、この縁石の内部に連続した貫通孔からなる通路を形成することが可能である。そして、連続した本体ブロックによって構成された縁石の中から選択された本体ブロックに、起立片と対向する面（裏面）に該面と起立片とを貫通させた配管が設置される。
【００５１】
上記配管は、一方側が起立片の内部に、他方側が本体ブロックの内部に夫々開口して両者を接続する機能を有する。このため、配管を介して緑地に於ける余剰水を排水することが可能となり、或いは緑地に対して給水することが可能となる。本体ブロックと起立片を貫通して設置される配管の太さは限定するものではなく、排水や給水を行うのに適した径の配管であれば良い。
【００５２】
配管を排水配管として利用する場合、本体ブロックの内部側の開口は貫通孔の底面よりも高い位置にあれば良く、緑地側で一定の水位を越えた余剰水が排水配管を通って本体ブロックの貫通孔に流れ込むことで排水することが可能である。また配管を給水配管として利用する場合、連続した本体ブロックの内部に形成された通路に給水用のホースを配置し、このホースに設けたティーに接続することで所望の時期に緑地に対する給水を行うことが可能である。
【実施例１】
【００５３】
以下、本発明に係る縁石構造の好ましい実施例について図を用いて説明する。図１は第１実施例に係る縁石構造を説明する断面図である。図２は周囲に縁石を構成した緑地を説明する図である。
【００５４】
図１，図２に示すように、緑地Ａは、ベランダや屋上の床或いは屋根面を構成するＡＬＣパネルや金属板等の屋上構造体１の上部に構成されている。即ち、屋上構造体１の上部に緑地Ａの周縁を規定する規定部材Ｂが設置され、この規定部材Ｂで囲まれた範囲に後述する各層２〜５が構成され、更に、規定部材Ｂの周囲に縁石Ｃが構成されている。
【００５５】
屋上構造体１の上面には通常の建物に要求される一般的な仕上材１ａが形成されており、この仕上材１ａの上部であって緑地Ａの周縁を規定する規定部材Ｂ及び縁石Ｃを設置する部位に、この部位の面積よりも大きい面積を持った保護材１ｂが配置されでいる。保護材１ｂは、仕上材１ａと同様の防水性を持ったシートによって形成されており、周縁を仕上材１ａに溶着されて設置されている。
【００５６】
規定部材Ｂは、緑地Ａを構成する保水層３や土壌層５の周縁を規定するものであり、これらの層３，５を形成する水や土壌の深さに応じて作用する圧力に対抗し得る強度を有することが必要である。このため、規定部材Ｂは、水や土壌の圧力に対抗する起立片１０ａと、保護層１ｂに固定されると共に建物保護層２を固定する固定片１０ｂと、からなる断面形状がＬ字型で、且つ長尺状の部材を目的の緑地Ａの平面形状に対応させて構成されている。特に、緑地Ａの周縁の長さが長く規定部材Ｂを長手方向に接続する必要が生じた場合、この接続部分は充分な水密性を発揮し得る手段、例えば溶着或いは接着によって接続されている。
【００５７】
目的の緑地Ａの周縁に沿って配置された規定部材Ｂの固定片１０ｂには、緑地Ａの平面形状と相似形で、且つ規定部材Ｂの起立片１０ａの内側で、端部が固定片１０ｂに載置される程度の面積を持った建物保護層２が配置されると共に該建物保護層２の周縁が固定片１０ｂに水密性を持って固定されている。
【００５８】
上記の如く、規定部材Ｂの固定片１０ｂに建物保護層２を固定することによって、建物略層２を底面とし、起立片１０ａによって深さが規定された槽状の部材（充分な水密性を持った水槽）として構成される。
【００５９】
上記規定部材Ｂの固定片１０ｂは保護材１ｂの上面に載置されて所定の位置に設置される。この場合、規定部材Ｂと建物保護槽２からなる槽状の部材を単に屋上構造体１，仕上材１ａ，保護材１ｂの上部に載置したままであって良いが、固定片１０ｂを保護材１ｂに固定しておくことが好ましい。
【００６０】
規定部材Ｂの固定片１０ｂと建物保護層２との固定方法は特に限定するものではなく、高い水密性を保証することが可能で経時的に劣化することのない方法であれば良い。このような方法としては溶着がある。このため、規定部材Ｂ，建物保護槽２の材料は良好な溶着が可能なように合成樹脂が用いられている。また固定片１０ｂと保護材１ｂとの固定方法も限定するものではなく、溶着或いは接着を採用することが可能である。
【００６１】
建物保護槽２は、建物に対する防水機能と、植物の根が侵入することを防止する防根機能を有するものであり、この建物保護層２によって、緑地Ａから排出される水に対する防水性を確保すると共に植物根が屋上構造体１の僅かな隙間に入り込んで建物に対して損傷を与えることがないように構成されている。
【００６２】
建物保護層２の上部には保水層３が形成されている。この保水層３は土壌層５の下方に形成されており、土壌層５に対する散水によって、或いは保水層３に直接給水された水を保持することが可能なように構成されている。保水層３の構成としては、予め設定された量の水を保持し得るものであれば良く、充分な保水性を有する部材、例えば木製，合成樹脂製或いは金属製の簀の子状の部材や、合成樹脂繊維をへちま状に絡ませて板状に形成することで耐圧縮性を有する部材を用いることが可能である。
【００６３】
保水層３は、緑地Ａが必要とする所定日数分の水を蓄えておくことが可能な容積を有して構成されている。即ち、保水層３の厚さ（深さ）は、緑地Ａに栽培する植物の種類、土壌層５を構成する土壌の保水性能や土壌層５の厚さ、更に、土壌層５に対して外部から給水する際の機構、建物の許容積載荷重等の条件を考慮して設計されている。
【００６４】
上記の如く、保水層３の厚さは緑地Ａに於ける保水量を規定するものであり、土壌層５の厚さや該土壌層５を構成する土壌の保水性能等を考慮して設定される。特に、保水層３を高い圧縮強度と耐変形性を持ち且つ空間率の高い板状の部材を用いることで、該板状の部材の厚さに対応させた保水層３を構成することが可能である。
【００６５】
保水層３の上面には、土壌層５から排出された水を透過させ、且つ土壌を通過させることのない透水層４が形成されている。この透水層４は、不織布からなる透水シートによって構成され、土壌層５に供給された水が該土壌層５から下方に浸透したとき、水のみを保水層３に透過させて土壌の通過を阻止することで、保水層３に於ける保水能力を保持することが可能である。
【００６６】
土壌層５を構成する土壌が保水層３に移動した場合、保水層３に於ける保水可能水量が減少することとなり、効果的な給水を確保し得なくなる虞が生じ、且つ排水性能を低下させることにつながる。このため、保水層３と土壌層５との間に、土壌の水を透過させるものの土壌を通過させることのない透水層４が設けられている。この透水層４は、水を透過させて粒状の土壌の通過を阻止する機能を有するものであれば良く、構造や材質を限定するものではない。このような機能を有するものとしては、樹皮や棕櫚等の植物性の材料や不織布等があり、いずれも用いることが可能である。
【００６７】
本実施例に於いて、透水層４は不織布からなる透水シートによって構成されている。この透水シートとしては材料を特に指定するものではないが、旭化成株式会社製のコルドン  エステルタイプを用いている。そして、このシートを緑地Ａの平面寸法に合わせて切断し、保水層３を構成するために予め敷き並べた空間率の高い板状の部材の上面を覆うことで透水層４を形成することが可能である。
【００６８】
透水層４の上部に土壌層５が構成されている。この土壌層５を構成する土壌の仕様については特に限定するものではなく、ＡＬＣを粉砕して構成した軽量土を用いることが可能である。この軽量土を構成する土壌の粒子分布は特に限定するものではなく、植物を栽培するのに必要な要件を満たすものであれば良い。このようにＡＬＣを材料とした人工軽量土では、該人工軽量土の容積に応じて略一定量の水を蓄えることが可能であり、この量を越えた水を速やかに排水することが可能である。従って、適度な灌水がなされることによって、定常的な湿潤状態を維持することが可能となる。更に、土壌層５の厚さも限定するものではなく、栽培すべき植物が必要とする土壌厚さに対応させた深さに設定されている。
【００６９】
縁石Ｃは、緑地Ａの周縁に沿って（規定部材Ｂの起立片１０ａに沿って）本体ブロック１５と頭部ブロック１６からなる縁石部材を並べて設置することで、緑地Ａの美観を向上させると共に、内部に緑地Ａからの排水経路や緑地Ａに対する給水経路を構成するものである。特に、緑地Ａの周縁に並べられた本体ブロック１５は頭部ブロック１６によって接続されて並べられた位置を保持し得るように構成されており、各ブロック１５，１６には互いに連結するための部位が形成されている。
【００７０】
縁石Ｃを構成する本体ブロック１５は、予め設定された高さ寸法と厚さ寸法及び横方向（長手方向）の寸法を持って形成されている。本体ブロック１５に設定される各寸法は限定するものではなく、高さ寸法は緑地Ａの周縁を構成する規定部材Ｂの起立片１０ａの寸法と等しいか僅かに大きい寸法に設定され、長手寸法は例えば建物に設定されたモジュール寸法と対応する寸法に設定され、厚さ寸法は緑地Ａの縁石Ｃとしての意匠性を考慮した寸法に設定されている。
【００７１】
本体ブロック１５は、厚さ方向の両側に夫々面１５ａ，１５ｂが形成され、これらの面１５ａ，１５ｂを底面１５ｃによって接続することで、面１５ａ，１５ｂ及び底面１５ｃに規定され且つ面１５ａ，１５ｂに沿って長手方向に貫通する空洞又は貫通孔１７が形成されている。この貫通孔１７は、複数の本体ブロック１５を長手方向に連結したとき、互いに連続した通路として形成され、水の流路として、或いは配管やホース類を収容するスペースとして利用することが可能である。
【００７２】
また本体ブロック１５の上端部には、貫通孔１７と連続した開放部１８が形成されており、本実施例では、後述するように、開放部１８は頭部ブロック１６を係合する係合部としての機能をも有している（以下、開放部１８或いは係合部１８という、以下同じ）。
【００７３】
また本体ブロック１５の平面形状は直線状（所謂コンクリートブロック状）のものに限定されるものではなく、予め設定された半径で屈曲した円弧状、或いは直角に屈折したもの等が構成されている。従って、本体ブロック１５の長手方向とは必ずしも直線的な方向性をいうものではなく、平面視が円弧や直角も含むものであり、貫通孔１７も同様である。
【００７４】
頭部ブロック１６は、隣接する本体ブロック１５の上端部分に跨るように載置されてこれらの本体ブロック１５を互いに連続させて接続し、これにより、複数の本体ブロック１５に蛇行が生じている場合、この蛇行を矯正するものである。このため、長手方向の寸法は本体ブロック１５の長手方向の寸法と等しい値に設定され、高さ方向の寸法及び厚さ方向（前後方向）の寸法は縁石としての意匠性を考慮して設定されている。
【００７５】
縁石Ｃは、複数の本体ブロック１５を長手方向に並べ、対向する端面どうしを接着することによって連結し、この本体ブロック１５の上端部分に頭部ブロック１６を載置することで蛇行を防止した状態で接続されている。このため、本体ブロック１５の上端部分には係合部１８が形成され、頭部ブロック１６の下面には係合部１８と係合して係止する係止部１９が形成されている。本体ブロック１５に設けた係合部１８と、頭部ブロック１６に設けた係止部１９とは、互いに係合して一体化する機能を有するものであれば良く、形状を問うものではない。
【００７６】
本実施例では、係合部１８（開放部１８）は本体ブロック１５の長手方向に全長にわたって形成された溝によって構成され、係止部１９は該溝と係合することが可能で、頭部ブロック１６の長手方向に全長にわたって、或いは断続的に形成された突起として構成されている。しかし、係合部１８，係止部１９は本体ブロック１５と頭部ブロック１５を接続する機能があればよく、形状を問うものではない。従って、係合部１８としては本体ブロック１５の厚さ方向に形成された複数の溝であって良く、係止部１９も前記溝に対応して厚さ方向に形成された突起であっても良い。
【００７７】
本実施例に於いて、本体ブロック１５の係合部１８は、開放部１８と兼ねることから、本体ブロック１５の面１５ａ，１５ｂの上端部分に於ける自由端を利用して溝状に形成されている。従って、本体ブロック１５は断面形状が略Ｕ字状に形成され、該Ｕ字状の内部に貫通孔１７が構成されている。
【００７８】
また、頭部ブロック１６の下面に突起として形成された係止部１９の幅寸法は、本体ブロック１５の面１５ａ，１５ｂの内面間の距離よりも僅かに小さい寸法を持って形成されている。このため、突起からなる係止部１９が本体ブロック１５の内面間の溝からなる嵌合部１８に嵌合することで、隣接する本体ブロック１５を接続することが可能である。従って、係止部１９としては、単なる突起であって良い。しかし本実施例では、突起に沿って頭部ブロック１６の長手方向に本体ブロック１５の面１５ａ，１５ｂの上端部分を嵌合する溝２０，２１が形成されており、突起からなる係止部１９，溝２０，２１を本体ブロック１５の上端部分に嵌合させることで、より安定した接続を実現することが可能である。
【００７９】
特に、溝２０は溝２１よりも幅寸法が大きく形成されており、頭部ブロック１６を本体ブロック１５の上端部分に載置する際に、溝２０を規定部材Ｂ側に配置することによって該溝２０に規定部材Ｂの起立片１０ａを嵌合させることが可能なように構成されている。
【００８０】
このように、規定部材Ｂの起立片１０ａに沿って並べた本体ブロック１５の上端部分に頭部ブロック１６を載置してこれらのブロック１５，１６を互いに接続し、同時に起立片１０ａの上端部分を頭部ブロック１５の溝２０に嵌合することで、緑地Ａと縁石Ｃを一体化させることが可能となり、緑地Ａと縁石Ｃとの間に形成された隙間を遮蔽して美観の向上をはかることが可能となる。
【００８１】
本体ブロック１５，頭部ブロック１６を形成する材料は特に限定するものではない。しかし、重量が大き過ぎると建物の許容積載荷重に対する影響が大きくなって好ましくはなく、軽すぎると風等の横方向に作用する力によって倒れる虞が生じる。このため、本体ブロック１５，頭部ブロック１６を軽量コンクリート等の軽量な材料を用いて形成し、この本体ブロック１５を保護材１ｂに載置した後、該保護材１ｂと本体ブロック１５の底面とを固定しておくことが好ましい。
【００８２】
しかし、本体ブロック１５，頭部ブロック１６を形成する材料を上記軽量コンクリートにのみ限定するものではなく、合成樹脂の発泡体を利用しても良い。このように合成樹脂の発泡体を用いた場合には、保護材１ｂとの接着を容易に行うことが可能となる。
【００８３】
上記の如く構成された縁石Ｃでは、本体ブロック１５の内部に形成された貫通孔１７が連続し、該縁石Ｃの全長にわたる一連の通路１７が形成される。従って、前記通路１７をホースや配管を設置する空間として、或いはそのままの状態で水を流通させる通路として利用することが可能である。例えば、通路１７をホースや配管を設置する空間として利用する場合、これらのホース，配管の機能は特に限定するものではなく、緑地Ａに給水するためのホース，配管として、或いは緑地Ａからの排水を流すホース，配管として利用することが可能である。
【００８４】
特に、保水層３に設定された保水量を越えると、建物に対する負担重量が増加したり、植物の根腐れを起したり、規定部材Ｂを構成するＬ字状の起立片を越えて周囲を濡らして美観を損なう等の虞があるため、一定の保水量以上の余剰水を排水し得るように構成しておくことが必要である。
【００８５】
このため、本実施例では、保水層３に於ける保水深さを設定しておき、雨天や散水によって供給された水が保水深さを越えたとき、余剰となった水を排水し得るように構成されている。即ち、緑地Ａの高さ方向であって規定部材Ｂの起立片１０ａの所定位置に配管７が配置されている。この配管７は緑地Ａと縁石Ｃに設けた通路１７に連通しており、緑地Ａに於ける最大貯水量を維持し得る位置に設置されている。
【００８６】
配管７は規定部材Ｂの起立片１０ａと縁石Ｃの本体ブロック１５の面１５ｂを貫通して配置されており、一方側の端部７ａが緑地Ａに於ける保水層３の上部に位置し、他方側の端部７ｂが通路１７に開口している。特に、緑地Ａ側の端部７ａにはフィルター８が取り付けられており、このフィルター８によって余剰水の排水と共に土壌層５の土壌が流出することを防止している。
【００８７】
従って、緑地Ａに最大貯水量を越える過剰な水が供給されたとき、この余剰水は保水槽４よりも土壌槽５側に一時的に貯留され、配管７から縁石Ｃを構成する本体ブロック１５の内部に形成された貫通孔１７（通路１７）に排水される。貫通孔１７に排水された水は通路１７を下流側に流れ、図示しない排水口から縁石Ｃの外部に排水される。この縁石Ｃからの排水構造は特に限定するものではなく、例えば、屋上構造体１に形成された排水口の近傍に位置する本体ブロック１５の面１５ａに開口を設け、この開口と排水口とを配管或いはホースで接続することでも良い。
【００８８】
上記の如く構成された本実施例に係る縁石構造では、該緑地Ａの周縁を規定する規定部材Ｂを露出させることなく、緑地Ａの周縁を化粧することが可能となり、美観の向上をはかることが可能である。特に、縁石Ｃの内部に形成された通路１７に緑地Ａの保水量を維持するために必要な排水機能や給水機能を持たせることが可能となるため、緑地Ａの周囲にホール類や配管類が露出することがなく、美観を損なうことがない。更に、頭部ブロック１６を本体ブロック１５から撤去することによって、貫通孔１７を露出させることが可能であり、これにより、該貫通孔１７の内部の清掃を極めて容易に行うことが可能となる。
【実施例２】
【００８９】
次に第２実施例に係る縁石構造について図３により説明する。尚、図に於いて、前述の実施例と同一の部分及び同一の機能を有する部分には同一の符号を付して説明を省略する。
【００９０】
図に示すように、本実施例では、本体ブロック２５は面２５ａ，２５ｂを高さ方向の略中央に設けた接続片２５ｃによって接続した断面が略Ｈ状に形成されている。そして接続片２５ｃの下側に下向きに開放された空洞２７が本体ブロック２５の長手方向に貫通して形成されており、接続片２５ｃの上側に上向きに開放された係合部２８が長手方向に沿って形成されている。尚、接続片２５ｃには、空洞２７を清掃する際に人手を通すための図示しない複数の穴が形成されている。
【００９１】
頭部ブロック２６の下面には、本体ブロック２５の係合部２８（開放部２８）に係合して本体ブロック２５と接続する係止部２９が形成されている。この係止部２９は、頭部ブロック２６の長手方向に沿って形成された突起として構成されている。
【００９２】
上記の如き本体ブロック２５を規定部材Ｂの起立片１０ａに沿って並べ、頭部ブロック２６によって接続したとき、縁石Ｃには内部に個々の本体ブロック２５に形成された空洞２７が連続したトンネル状の通路２７が形成される。この通路２７はホースや配管を設置することが可能な空間となり、これらのホースや配管を緑地Ａに対する給水用に、或いは緑地Ａからの排水用に利用することが可能である。
【００９３】
本実施例では、縁石Ｃに形成された通路２７には、排水用の樋３１が配置されており、本体ブロック２５の面２５ｂと規定部材Ｂの起立片１０ａを貫通して配置された配管７を介して緑地Ａの余剰水が排出されるように構成されている。
【００９４】
上記の如く構成された縁石Ｃであっても、緑地Ａの周縁を規定する規定部材Ｂを露出させることなく、緑地Ａの周縁を化粧することが可能となり、美観の向上をはかることが可能である。特に、縁石Ｃの内部に形成された通路２７に緑地Ａの保水量を維持するために必要な排水機能や給水機能を持たせることが可能となるため、緑地Ａの周囲にホース類や配管類が露出することがなく、美観を損なうことがない。
【実施例３】
【００９５】
次に、縁石部材の好ましい実施例について図を用いて説明する。図４は縁石の直線状の部分を構成する本体ブロックの構成を説明する図である。図５は一方の面に前述の配管７を貫通させる穴を形成した本体ブロックを説明する図である。図６は縁石の直線状の部分を構成する本体ブロックを接続する頭部ブロックの構成を説明する図である。
【００９６】
以下説明する縁石部材は、緑地Ａに沿って縁石Ｃを構成するための部材であり、内部に長手方向に貫通した貫通孔を有する本体ブロックと、本体ブロックと接続する頭部ブロックとによって構成されるものである。
【００９７】
図４に示す本体ブロック４０は、予め設定された長手寸法（横方向の寸法）、高さ寸法、厚さ寸法を有して形成されており、厚さ方向の両側に二つの面４０ａ，４０ｂが形成されると共に下端部に底面４０ｃが形成され、これらの面によって上端部分に開放部４０ｆが形成されると共に内部に長手方向に貫通した貫通孔４１を有する断面Ｕ字状のブロックとして形成されている。
【００９８】
本体ブロック４０の長手方向の端面には、複数の本体ブロック４０を長手方向に近接させて並べたときに互いに嵌合するための手段が構成されている。即ち、本体ブロック４０の長手方向の一方側に端面にはＵ字状に連結突起４０ｄが形成されており、他方側の端面には前記連結突起４０ｄを嵌合する凹溝４０ｅがＵ字状に形成されている。連結突起４０ｄの高さや凹溝４０ｅの深さは特に限定するものではなく、隣接する本体ブロック４０を互いに連結させたとき円滑に嵌合することが可能で、複数の本体ブロック４０を連結して構成された縁石Ｃの内部に形成される通路１７を連続させることが可能であれば良い。
【００９９】
本体ブロック４０の長手方向の端面に連結突起４０ｄ，凹溝４０ｅを形成することによって、縁石Ｃを構成する際に、規定部材Ｂの起立片１０ａに沿って連結突起４０ｄ，凹溝４０ｅに接着剤を塗布した複数の本体ブロック４０を並べ、隣接する本体ブロック４０を互いに圧接させて連結突起４０ｄを凹溝４０ｅに嵌合させることで、連続して並べた複数の本体ブロック４０を互いに連結することが可能であり、且つ底面４０ｃが連続した面となって貫通孔４１を形成することが可能となる。
【０１００】
本体ブロック４０の上端部分には頭部ブロックの係止部と嵌合する係合部４２が形成されている。この係合部４２は、本体ブロック４０の長手の二カ所で且つ厚さ方向に貫通した溝によって形成されている。係合部４２は、本体ブロック４０の長さから係合部４２を構成する溝の幅寸法を差し引いた値を４等分し、長手方向の両端部分から１／４の部位に形成されている。従って、複数の本体ブロック４０を長手方向に連結させたとき、係合部４２は同一の間隔を持って配置されることになる。
【０１０１】
図５は上記本体ブロック４０の一方の面４０ｂに穴４３を形成したものである。この穴４３は、本体ブロック４０を緑地Ａの周縁を規定する規定部材Ｂに沿って配置する際に、該緑地Ａの保水槽３の水位を維持するために余剰水を排水する配管７、或いは緑地Ａの保水槽３に給水する配管７を貫通させて設置するためのものである。
【０１０２】
穴４３の形状や位置は特に限定するものではなく、容易に配管７を貫通して設置することが可能な形状と寸法，位置であれば良い。特に、本体ブロック４０に配管７を貫通させる場合、起立片１０ａから突出されている配管７の位置に合わせて本体ブロック４０の穴を設定する必要がある。このため、穴４３は、配管７の径と比較して充分に大きい寸法を持った長穴状に形成されている。
【０１０３】
上記の如く、本体ブロック４０に長穴状の穴４３を形成しておくことで、規定部材Ｂの起立片１０ａに沿って本体ブロック４０を並べると共に隣接した本体ブロック４０どうしを連結突起４０ｄと凹溝４０ｅを互いに嵌め合わせて連結する際に、本体ブロック４０を長手方向に移動させる操作を行う場合、配管７を穴４３に挿通させておくことで、前記作業を円滑に行うことが可能となる。
【０１０４】
図６は本体ブロック４０の上部に配置される頭部ブロック４４の構成を説明するものである。頭部ブロック４４は、本体ブロック４０の長手方向の寸法と略等しい長さ寸法を有して形成されており、本体ブロック４０の高さ方向と同一方向の高さ寸法（頭部ブロック４４の厚さ寸法）と厚さ寸法（頭部ブロック４４の幅寸法）は予め設定された値を持って形成されている。尚、頭部ブロック４４の幅寸法は、本体ブロック４０の厚さ寸法よりも大きい値に設定されている。
【０１０５】
頭部ブロック４４の下面には、本体ブロック４０の面４０ａ，４０ｂと対応する位置であって長手方向に溝４４ａが形成されている。この溝４４ａは、幅寸法が本体ブロック４０の面４０ａ，４０ｂの厚さよりも大きい寸法を持って形成されている。従って、頭部ブロック４４を本体ブロック４０の上端部分に載置して開放部４０ｆを閉鎖したとき、溝４４ａが本体ブロック４０の面４０ａ，４０ｂと嵌合して夫々の面４０ａ，４０ｂの内側と外側に間隙が形成される。
【０１０６】
このため、緑地Ａの周縁を規定する規定部材Ｂに沿って且つ起立片１０ａに接近させて本体ブロック４０を並べ、この本体ブロック４０の上端部分に頭部ブロック４４を載置したときに形成される上記間隙に起立片１０ａの上端部分を嵌合させることが可能である。従って、緑地Ａに沿って本体ブロック４０，頭部ブロック４４からなる縁石Ｃを形成することによって、規定部材Ｂの起立片１０ａを露出させることがなく、美観を損なうことがない。
【０１０７】
頭部ブロック４４に形成された溝４４ａに於ける本体ブロック４０の係合部４２と対応する位置に該係合部４２と係合して係止する係止部４５が形成されている。係止部４５は、係合部４２を構成する溝の幅寸法と略等しい幅寸法を持って形成されており、係止部４５を係合部４２に嵌合させたときにもガタつきがない。更に、長手方向に隣接させた本体ブロック４０に跨がるように頭部ブロック４４を載置することによって、二つの本体ブロック４０を接続することが可能である。
【０１０８】
係合部４２と係止部４５は夫々断面が台形状に形成されているため、隣接した本体ブロック４０に跨がらせて頭部ブロック４４を載置したとき、係合部４２の斜面と係止部４５の斜面が接触して本体ブロック４０を互いに接近させることが可能であり、強固な接続を実現することが可能である。
【０１０９】
このため、強風時に頭部ブロック４４の庇状の部分に吹上力が作用した場合であっても、該頭部ブロック４４が本体ブロック４０に対し強固に接続されているため、吹き飛ばされることがない。特に、係止部４５が係合部４２に嵌合することで、頭部ブロック４４にコジルような力が作用したとき、係止部４５，係合部４２の引っ掛かりと斜面の接触摩擦とによって抵抗することが可能となり、風による吹き上げを防止することが可能である。しかし、頭部ブロック４４を直上に持ち上げる場合には容易に移動させることが可能であり、内部の清掃を容易に行うことが可能である。
【実施例４】
【０１１０】
次に、緑地Ａの直角部分を構成する縁石部材について図７，図８により説明する。尚、図に於いて、前述の実施例に於ける本体ブロック４０及び頭部ブロック４４に形成された貫通孔４１、係合部４２、係止部４５は共通に形成されているものであり、対応する部分には同一の符号を付して説明を省略する（以下同じ）。
【０１１１】
図７に示すコーナー本体ブロック５０は縁石Ｃの直角部分を構成するものであり、平面視がＬ型に形成され、この形状に沿って面５０ａ，５０ｂ及び底面５０ｃが形成されると共に、Ｌ字型の貫通孔４１が形成されている。このようにＬ字型に形成されたコーナー本体ブロック５０では、長手方向は直線として形成されず直角に屈折して形成される（貫通孔４１は曲面状に形成することが好ましい）。尚、コーナー本体ブロック５０の上端部分には貫通孔４１と連続した開放部５０ｆが形成されている。
【０１１２】
コーナー本体ブロック５０の長手方向の一方側の端面には連結突起５０ｄがＵ字状に形成されており、他方側の端面には連結突起５０ｄを嵌合する凹溝５０ｅがＵ字状に形成されている。従って、コーナー本体ブロック５０の直交する長手方向の延長線上に複数の本体ブロック４０を並べ、連結突起５０ｄを凹溝４０ｅに嵌合させると共に、凹溝５０ｅに連結突起４０ｄを嵌合させることで、縁石Ｃに於けるＬ字のコーナー部を構成することが可能である。
【０１１３】
尚、縁石Ｃに於ける直角のコーナー部としては、出隅部と入隅部とがある。特に、コーナー本体ブロック５０では、連結突起５０ｄと凹溝５０ｅとが形成されるため、本体ブロック４０との連結方向が規定されることになり、所謂勝手が形成されることになる。同図に示すコーナー本体ブロック５０は出隅部に対応したものであり、入隅部に対応するコーナー本体ブロックは、長手方向の端面に形成される連結突起５０ｄと凹溝５０ｅが図７とな反対側の面になる。
【０１１４】
図８に示すコーナー頭部ブロック５１は平面視がコーナー本体ブロック５０同一のＬ字型に形成されており、Ｌ字を構成する各辺の長さはコーナー本体ブロック５０と等しい寸法を持って形成されている。このコーナー頭部ブロック５１の下面にはコーナー本体ブロック５０の面５０ａ，５０ｂに沿ったＬ字型の溝５１ａが形成されており、この溝５１ａであってコーナー本体ブロック５０に設けた係合部４２に対向する位置に係止部４５が形成されている。
【０１１５】
上記の如く構成されたコーナー本体ブロック５０とコーナー頭部ブロック５１では、緑地Ａの直交する二方向に沿って複数の本体ブロック４０を並べると共にコーナー部にコーナー本体ブロック５０を並べて連結し、各本体ブロック４０，５０の上端部分に頭部ブロック４４，コーナー頭部ブロック５１を載置することで縁石Ｃを構成することが可能である。このように、直角に屈折した縁石Ｃであっても、各本体ブロック４０，５０の内部に形成された貫通孔４１が連続することで、緑地Ａに沿って通路１７を構成することが可能である。
【０１１６】
次に、緑地Ａが周縁の一部に円弧を有する場合、多数の直線に分割して近似的な円弧として縁石Ｃを構成する縁石部材の構成について図９，図１０により説明する。
【０１１７】
図９に示すカーブ本体ブロック５５は、前述の本体ブロック４０を基本形として形成されており、長手方向の両端面５５ｆ，５５ｇは、予め想定した円弧の中心を中心とし且つ予め想定した中心角度をなす二本の半径線の間の角度に一致させた傾斜を有している。従って、カーブ本体ブロック５５の長手方向の両端面５５ｆ，５５ｇが該カーブ本体ブロック５５の長手方向の軸に対する傾斜角度は限定されるものではなく、緑地Ａのカーブ部分の半径に応じて設定される。
【０１１８】
尚、図に於いて、５５ａ，５５ｂは面であり、５５ｃは底面、５５ｄは端面５５ｆに形成された連結突起、５５ｅは端面５５ｇに形成された凹溝であり、５５ｈはカーブ本体ブロック５５の上端部分に形成され貫通孔４１と連続した開放部である。
【０１１９】
カーブ本体ブロック５５は前述したコーナー本体ブロック５０と同様に、緑地Ａがカーブの内側に位置するか、外側に位置するか、によって該カーブ部分に連続する直線部分に設置される本体ブロック４０と連結する際に、連結突起５５ｄ，凹溝５５ｅの勝手違いが生じる。即ち、図９に示すカーブ本体ブロック５５は円弧の内側に緑地Ａが形成されるカーブ部分に採用されるものであり、円弧の外側に緑地Ａが形成される場合には、端面５５ｆに凹溝５５ｅを形成すると共に端面５５ｇに連結突起５５ｄが形成される。
【０１２０】
図１０に示すカーブ頭部ブロック５６は長手方向の両端面がカーブ本体ブロック５５と略等しい傾斜角度を持って形成されており、下面にはカーブ本体ブロック５５の面５５ａ，５５ｂと対応する位置に溝５６ａが形成されている。そして溝５６ａに於けるカーブ本体ブロック５５の係合部４２と対応する位置に係止部４５が形成されている。
【０１２１】
上記の如く構成されたカーブ本体ブロック５５とカーブ頭部ブロック５６では、緑地Ａの円弧部に連続した直線方向に沿って複数の本体ブロック４０を並べると共に、円弧部に複数のカーブ本体ブロック５５を並べて連結し、各本体ブロック４０，５５の上端部分に頭部ブロック４４，カーブ頭部ブロック５６を載置することで縁石Ｃを構成することが可能である。このように、円弧状に屈曲した縁石Ｃであっても、各本体ブロック４０，５５の内部に形成された貫通孔４１が連続することで、緑地Ａに沿って通路１７を構成することが可能である。
【産業上の利用可能性】
【０１２２】
上記の如き縁石構造は、単に建物の屋上や屋根ベランダに構成される人工的な緑地Ａにのみ採用されるべきものではなく、一般的な露地に構成される花壇の縁石に利用することも可能である。
【図面の簡単な説明】
【０１２３】
【図１】第１実施例に係る縁石構造を説明する断面図である。
【図２】周囲に縁石を構成した緑地を説明する図である。
【図３】第２実施例に係る縁石構造を説明する図である。
【図４】縁石の直線状の部分を構成する本体ブロックの構成を説明する図である。
【図５】一方の面に前述の配管７を貫通させる穴を形成した本体ブロックを説明する図である。
【図６】縁石の直線状の部分を構成する本体ブロックを接続する頭部ブロックの構成を説明する図である。
【図７】縁石の直角部分を構成するコーナー本体ブロックの構成を説明する図である。
【図８】縁石の直角部分を構成するコーナー本体ブロックに載置されるコーナー頭部ブロックの構成を説明する図である。
【図９】縁石の円弧部分を構成するカーブ本体ブロックの構成を説明する図である。
【図１０】縁石の円弧部分を構成するカーブ本体ブロックに載置されるカーブ頭部ブロックの構成を説明する図である。
【符号の説明】
【０１２４】
Ａ                      緑地
Ｂ                      規定部材
Ｃ                      縁石
１                      屋上構造体
１ａ                    仕上材
１ｂ                    保護材
２                      建物保護層
３                      保水層
４                      透水層
５                      土壌層
７                      配管
７ａ，７ｂ              端部
８                      フィルター
１０ａ                  起立片
１０ｂ                  固定片
１５                    本体ブロック
１５ａ，１５ｂ          面
１５ｃ                  底面
１６                    頭部ブロック
１７                    貫通孔，通路
１８                    係合部、開放部
１９                    係止部
２０，２１              溝
２５                    本体ブロック
２５ａ，ｂ              面
２５ｃ                  接続片
２６                    頭部ブロック
２７                    空洞，通路
２８                    係合部、開放部
２９                    係止部
３１                    樋
４０                    本体ブロック
４０ａ，４０ｂ          面
４０ｃ                  底面
４０ｄ                  連結突起
４０ｅ                  凹溝
４０ｆ                  開放部
４１                    貫通孔
４２                    係合部
４３                    穴
４４                    頭部ブロック
４４ａ                  溝
４５                    係止部
５０                    コーナー本体ブロック
５０ａ，５０ｂ          面
５０ｃ                  底面
５０ｄ                  連結突起
５０ｅ                  凹溝
５０ｆ                  開放部
５１                    コーナー頭部ブロック
５１ａ                  溝
５５                    カーブ本体ブロック
５５ａ，５５ｂ          面
５５ｃ                  底面
５５ｄ                  連結突起
５５ｅ                  凹溝
５５ｆ，５５ｇ          端面
５５ｈ                  開放部
５６                    カーブ頭部ブロック
５６ａ                  溝
【図１】
2005192444.tif 000003
【図２】
2005192444.tif 000004
【図３】
2005192444.tif 000005
【図４】
2005192444.tif 000006
【図５】
2005192444.tif 000007
【図６】
2005192444.tif 000008
【図７】
2005192444.tif 000009
【図８】
2005192444.tif 000010
【図９】
2005192444.tif 000011
【図１０】
2005192444.tif 000012